(57)【特許請求の範囲】
【請求項１】
載置用デッキ面に防滑用の滑り止めテープを貼着したパレットにおいて、載置用デッキ面に細長溝を形成し、テープ本体部の下端部両側に長手方向にわたって側方に突出する帯片を設けた滑り止めテープを細長溝内に挿入貼着すると共に帯片を細長溝の内側面に密着させ、この滑り止めテープの上面部を載置用デッキ面の上面より上方に突出させて成ることを特徴とする運搬用パレット。
【請求項２】
載置用デッキ面に端部が載置用デッキ面の端部付近まで至る細長溝を形成し、細長溝の端部に堰部を形成し、細長溝の端部の底部を他の部分より深い深溝部とし、深溝部の内側面に浮き上がり防止突起を設け、滑り止めテープの端部を深溝部内に挿入して浮き上がり防止突起により滑り止めテープの端部側面を押圧した状態で滑り止めテープを貼着すると共に滑り止めテープの端部を堰部の上面と面一として成ることを特徴とする請求項１記載の運搬用パレット。
【請求項３】
細長溝の底部に長手方向にわたって位置決め突条を形成し、滑り止めテープの下面部に長手方向にわたって位置決め凹条を形成し、位置決め凹条を位置決め突条にはめ込んだ状態で滑り止めテープが細長溝に貼着してあることを特徴とする請求項１又は請求項２記載の運搬用パレット。
【発明の詳細な説明】
【０００１】
【発明の属する技術分野】
本発明は、運搬用パレットにおける滑り止めの技術に関するものである。
【０００２】
【従来の技術】
従来から高い滑り止め性能を有する運搬用パレットとして、載置用デッキ面に防滑用の滑り止めテープを貼着した特公昭５６ー４１５０５号公報、特開平７ー４０９９０号公報、特開平７ー６１４４７号公報、特開平９ー２４０６７３号公報等が知られている。
【０００３】
上記した特公昭５６ー４１５０５号公報、特開平７ー４０９９０号公報、特開平７ー６１４４７号公報、特開平９ー２４０６７３号公報には載置用デッキ面の一端部から他端部にわたって細長溝を形成し、この細長溝に滑り止めテープの下部を挿入して貼着し、滑り止めテープの上部を載置用デッキ面よりも上方に突出させて滑り止め効果を発揮するようにしてあり、また、いずれの従来例にあっても、細長溝内に貼着した滑り止めテープの上部を載置用デッキ面から上方に突出させたものにおいて、滑り止めテープに荷重がかかって滑り止めテープが幅方向に膨張変形する際の逃げ代を形成するため、細長溝の幅を滑り止めテープの横幅よりも幾分広く設けてある。また、上記従来例中特開平９ー２４０６７３号公報には滑り止めテープを細長溝に貼着するに当たって貼着面積を広く取るために、テープの底面に曲面を形成し、細長溝の底部に上記曲面に対応する曲面を形成したものが開示してある。
【０００４】
しかして、上記従来例のように、細長溝内に貼着した滑り止めテープの上部を載置用デッキ面から上方に突出させたものにおいて、滑り止めテープに荷重がかかって滑り止めテープが幅方向に膨張変形する際の逃げ代を形成するために細長溝の幅を滑り止めテープの横幅よりも幾分広く設けて、細長溝の内側面と滑り止めテープの側面との間に隙間を形成したものにおいては、長期間の使用に当たり、上記隙間から水が浸入して滑り止めテープの下面と細長溝の底面との間の貼着部分に毛細管現象により浸入し、滑り止めテープの貼着部分が剥がれて浮き上がるという問題がある。特に、滑り止めテープの下面と細長溝の底面との間の貼着部分に水が浸入した状態で、冷蔵倉庫や冷凍倉庫、あるいは冬季に屋外に設置してある場合、上記浸入した水が凍って膨張することで滑り止めテープの貼着部分がより剥がれやすいという問題がある。
【０００５】
また、上記のように、細長溝の幅を滑り止めテープの横幅よりも幾分広く設けると、細長溝内に滑り止めテープを貼着する際、滑り止めテープが細長溝内に蛇行変形してはめ込まれた状態で貼着され、滑り止めテープの長手方向において部分的に変形した箇所では貼着が充分に行われない場合がある。
また、従来例にあっては、載置用デッキ面の端部に滑り止めテープの端面部が露出し且つこの滑り止めテープの端部においても上部が載置用デッキ面よりも上方に突出しているので、滑り止めテープが端面部の露出した部分あるいは滑り止めテープの端部の上方に突出した部分に物が当たって、この部分から剥がれやすいという問題がある。特に、載置用デッキ面の側端において滑り止めテープの端部の上方に突出して露出した部分の端面にフォークリフトのフォークの先端部が当たる場合があり、この時、滑り止めテープの端面部の露出した部分にフォークの先端が当たって滑り止めテープを剥がしたり、あるいは破損したりするという問題がある。
【０００６】
そこで、本発明者は、細長溝の端部に載置用デッキ面に端部が載置用デッキ面の端部付近まで至る細長溝を形成し、細長溝の端部に堰部を形成し、細長溝の端部の底部を他の部分より深い深溝部とし、滑り止めテープの端部を上記深溝部内に挿入して貼着することで滑り止めテープの端部以外の部分の上面を載置用デッキ面の上面よりも上方に突出させると共に滑り止めテープの端部の上面を堰部の上面と面一にすることを考えた。しかして、滑り止めテープを貼着する際、例えば、滑り止めテープの下面と細長溝の底面との間に熱風を吹き付けながら滑り止めテープをローラにより細長溝内に押し込んで押圧することで熱風で溶融した滑り止めテープの下面を細長溝の底面に溶着するのであるが、この時、深溝部においては、滑り止めテープを深溝部内に入れてローラで押圧しても、細長溝の他の部分に比べてローラによる滑り止めテープの押圧力が弱くなり、このため、深溝部の溝底に滑り止めテープが溶着することなく、滑り止めテープの弾性力で撥ね上がって浮いてしまうという現象が生じるという問題があることが判明した。
【０００７】
【発明が解決しようとする課題】
本発明は上記の従来例の問題点に鑑みて発明したものであって、荷重が加わった場合に滑り止めテープの逃げ代を確保し、滑り止めテープの下面の貼着部分に水が浸入するのを防止して滑り止めテープが剥がれるのが防止でき、また、滑り止めテープの端部における貼着が確実にできると共に滑り止めテープの端部からの剥がれを簡単な構成で確実に防止することができ、また、滑り止めテープを細長溝内に正確な位置関係で位置決めして確実に貼着できる運搬用パレットを提供することを課題とするものである。
【０００８】
【課題を解決するための手段】
上記課題を解決するために、本発明の運搬用パレットは、載置用デッキ面１に防滑用の滑り止めテープ２を貼着したパレット３において、載置用デッキ面１に細長溝４を形成し、テープ本体部２ａの下端部両側に長手方向にわたって側方に突出する帯片２ｂを設けた滑り止めテープ２を細長溝４内に挿入貼着する共に帯片２ｂを細長溝４の内側面に密着させ、この滑り止めテープ２の上面部を載置用デッキ面１の上面より上方に突出させて成ることを特徴とするものである。このように帯片２ｂを細長溝４の内側面に密着させることで、細長溝４の内側面とテープ本体部２ａとの間の隙間からテープ本体部２ａの下面部の細長溝４との貼着部分に水が浸入するのを防止することができるものである。
【０００９】
また、載置用デッキ面１に端部が載置用デッキ面１の端部付近まで至る細長溝４を形成し、細長溝４の端部に堰部５を形成し、細長溝４の端部の底部を他の部分より深い深溝部６とし、深溝部６の内側面に浮き上がり防止突起６ａを設け、滑り止めテープ２の端部を深溝部６内に挿入して浮き上がり防止突起６ａにより滑り止めテープ２の端部側面を押圧した状態で滑り止めテープ２を貼着すると共に滑り止めテープ２の端部を堰部５の上面と面一とすることが好ましい。このような構成とすることで、深溝部６内に押し込んだ滑り止めテープ２の端部の上方への浮き上がりを浮き上がり防止突起６ａにより防止して確実に滑り止めテープ２の端部を深溝部６に貼着でき、また、滑り止めテープ２の端部の上面が堰部５の上面と面一であることで、滑り止めテープ２の端面部が側方に露出しないと共に滑り止めテープ２の端部の上部が上方に突出することがなくて、フォークリフトのフォークの先端が滑り止めテープ２の端部に当たったり、あるいは滑り止めテープ２の端面部に他の物が引っ掛かったりすることがないものである。
【００１０】
また、細長溝４の底部に長手方向にわたって位置決め突条７を形成し、滑り止めテープ２の下面部に長手方向にわたって位置決め凹条８を形成し、位置決め凹条８を位置決め突条７にはめ込んだ状態で滑り止めテープ２が細長溝４に貼着してあることが好ましい。このような構成とすることで、細長溝４の長手方向にわたって滑り止めテープ２を正確に位置決めして貼着することができるものである。
【００１１】
【発明の実施の形態】
本発明を以下添付図面に示す実施形態に基づいて詳述する。
図１乃至図５に示すように、パレット３は合成樹脂製であって、前後方向又は前後左右方向にフォーク挿入部１０が形成してあり、このフォーク挿入部１０はパレット３の側面に開口している。添付図面に示す実施形態においては、パレット３は合成樹脂により形成した上半体３ａと下半体３ｂとを溶着一体化して構成してあるが、必ずしもこれにのみ限定されるものではない。
【００１２】
パレット３の上面は載置用デッキ面１となっており、載置用デッキ面１には複数条の細長溝４が形成してあり、この細長溝４は両端部が載置用デッキ面１の両端部付近まで至るように形成してある。そして、細長溝４の長手方向の両端部と載置用デッキ面１の両端部との間の部位が図６に示すように堰部５となっており、この堰部５により遮蔽されることで細長溝４の両端部は側方に開口していないものである。堰部５の上面と外側面とのなすコーナ部分は弧状に面取りしてある。なお、添付図面に示す実施形態においては細長溝４の端部を閉じるための堰部５を設けた例を示したが、堰部５を設けることなく細長溝４の端部をパレット３の側面部に開口したものも本発明の範疇に含まれるものである。
【００１３】
本発明に使用する滑り止めテープ２は合成樹脂、ゴム製等により形成してあって軟弾性を有しており、この軟弾性を有する滑り止めテープ２は、長尺のテープ本体部２ａの下端部両側に長手方向にわたって側方に突出する薄肉の帯片２ｂを一体に突出して構成してある。テープ本体部２ａの横幅は細長溝４の溝幅より少し短く、両側の帯片２ｂの先端間を結ぶ幅は細長溝４の溝幅よりも少し長く形成してある。
【００１４】
上記の構成の滑り止めテープ２が細長溝４内に挿入されて熱溶着、接着等の任意の貼着手段により細長溝４の底部に滑り止めテープ２の下面部が貼着してある。この場合、添付図面に示す実施形態においては、細長溝４内に滑り止めテープ２を挿入貼着した滑り止めテープ２の上面部は両端部を除いて載置用デッキ面１の上面より上方に突出しており、滑り止めテープ２の両端部の上面が堰部５の上面（この場合、実施形態では堰部５が面取りしてあるので堰部５の最上端部分である載置用デッキ面１の上面）と面一となっている。
【００１５】
滑り止めテープ２を細長溝４内に挿入して熱溶着、接着等の任意の貼着手段により細長溝４の底部に滑り止めテープ２の下面部を貼着する場合、ローラで滑り止めテープ２を押圧することで、滑り止めテープ２を細長溝４内に嵌め込んで滑り止めテープ２を細長溝４の内面に貼着するのである。ここで、滑り止めテープ２を接着で貼着する場合には、滑り止めテープ２の下面部乃至細長溝４の少なくとも一方に接着剤を塗布し、滑り止めテープ２を細長溝４内に嵌め込んでローラで押圧することで滑り止めテープ２を細長溝４の内面に接着により貼着するものであり、また、滑り止めテープ２を熱溶着で貼着する場合には、滑り止めテープ２の下面と細長溝４内との間に熱風を当てながら滑り止めテープ２を細長溝４内に嵌め込んでローラで押圧することで滑り止めテープ２を細長溝４の内面に熱溶着により貼着するものである。
【００１６】
上記のようにして滑り止めテープ２を細長溝４内に挿入して熱溶着、接着等の任意の貼着手段により細長溝４の底部に滑り止めテープ２の下面部を貼着するのであるが、本実施形態においては、テープ本体部２ａの横幅が細長溝４の溝幅より少し短く、両側の帯片２ｂの先端間を結ぶ幅は細長溝４の溝幅よりも少し長く形成してあるので、テープ本体部２ａの下面が細長溝４の底面部に貼着されるだけでなく、図７、図１０に示すように、両側の薄肉の帯片２ｂが細長溝４の内側面に密着した状態で貼着されることになり、この結果、テープ本体部２ａの側面上部と細長溝４との間には僅かな隙間Ｓが生じるが、この隙間Ｓに水が浸入しても帯片２ｂが細長溝の内側面に密着した状態で貼着されているため、滑り止めテープ２の下面、特にテープ本体部２ａの下面側に水が浸入することがないようになっている。したがって、テープ本体部２ａの下面側に水が浸入して滑り止めテープ２が剥離して浮き上がったりしないようになっている。ここで、滑り止めテープ２の貼着が熱溶着である場合には、薄肉の帯片２ｂが細長溝の内側面に密着した状態で貼着される際に、同時に薄肉の帯片２ｂ自体が溶融又は軟化してテープ本体部２ａの側面下部と細長溝４との間を図１０に示すように埋めて細長溝４の内面部とテープ本体部２ａの側面下部と帯片２ｂとが一体化した塊状となり、このため、よりいっそう滑り止めテープ２の下面、特にテープ本体部２ａの下面側に水が浸入することがないようにできるものである。
【００１７】
上記のように滑り止めテープ２を細長溝４内に挿入して熱溶着、接着等の任意の貼着手段により細長溝４の底部に滑り止めテープ２の下面部を貼着した状態で、テープ本体部２ａの側面の上部と細長溝４との間には隙間Ｓが形成されるものであり、滑り止めテープ２のテープ本体部２ａの載置用デッキ面１から上方に突出した部分に載置物が載置されて荷重がかかって幅方向に膨張変形した際の逃げ代となっている。
【００１８】
ここで、滑り止めテープ２の両端部の上面を堰部５の上面と面一にするに当たって、図６、図８に示す実施形態においては、細長溝４の端部の底部を他の部分より深い深溝部６とし、長手方向の各部における肉厚が等しい滑り止めテープ２の端部を深溝部６内に挿入して貼着することで滑り止めテープ２の端部を堰部５の上面と面一とするものである。図６においては深溝部６の底は先端側程下となる傾斜面となっており、このため、滑り止めテープ２の端部は堰部５側に行くにしたがって次第に上面のレベルが下がって堰部５側の端部において堰部５の上面と面一となっている。
【００１９】
このように、細長溝４の端部の底部を他の部分より深い深溝部６とすることで、上記のように滑り止めテープ２として長手方向の各部における肉厚が等しいものを使用しても、滑り止めテープ２の両端部の上面を堰部５の上面と面一にすることができるので、連続巻きした厚みが等しい滑り止めテープ２を引き出して任意の長さに切断したものを細長溝４に挿入して貼着することができ、滑り止めテープ２の端部のみ薄肉にする必要がなくて滑り止めテープ２の構成が簡略化することになる。
【００２０】
深溝部６の両内側面または両内側面のうちの一方の内側面には浮き上がり防止突起６ａが設けてある。この浮き上がり防止突起６ａは滑り止めテープ２をローラで深溝部６内に押し込んで滑り止めテープ２の端部を貼着する際に、深溝部６上での滑り止めテープ２へのローラ押圧は隣接するデッキ平坦面に阻まれ、押圧力が低下し、他の細長溝での滑り止めテープ２への貼着より弱くなりがちとなるので、滑り止めテープ２が自身の弾性力により反撥するのを防止ためのものであり、また、滑り止めテープ２端部の側面に浮き上がり防止突起６ａが当接又は食い込んで、滑り止めテープ２が自身の弾性力により上方に浮き上がるのを防止するためのものであり、このように浮き上がり防止突起６ａにより滑り止めテープ２の浮き上がりを防止して確実に滑り止めテープ２の端部を深溝部６に熱溶着又は接着でき、滑り止めテープ２の端部の上面を堰部５の上面と面一になるようにできるものである。
【００２１】
滑り止めテープ２の両端部の上面を堰部５の上面と面一にするに当たって、図６、図８に示す実施形態においては、細長溝４の端部の底部を他の部分より深い深溝部６とし、長手方向の各部における肉厚が等しい滑り止めテープ２の端部を深溝部６内に挿入して貼着することで滑り止めテープ２の端部を堰部５の上面と面一とした例を示したが、必ずしもこれにのみ限定されるものではなく、図１１に示すように、全長にわたって細長溝４の溝深さを同じ深さとし、細長溝４に挿入して貼着する滑り止めテープ２の両端部のみ凹ませて他の部分に比べて肉厚を薄くして滑り止めテープ２の両端部を除く上面部を載置用デッキ面１の上面より上方に突出させると共に滑り止めテープ２の両端部の上面を堰部５の上面と面一にするようにしてもよいものである。この実施形態においても、図示を省略しているが、細溝部４の端部の内側面に浮き上がり防止突起６ａを設けてもよく、滑り止めテープ２の端部の肉厚の薄い部分をローラで細溝部４の端部内に押し込んで滑り止めテープ２を貼着する際に、滑り止めテープ２の端部の側面に浮き上がり防止突起６ａが当接又は食い込んで、滑り止めテープ２が上方に浮き上がるのを防止するためのものであり、このように浮き上がり防止突起６ａにより滑り止めテープ２の浮き上がりを防止して確実に滑り止めテープ２の端部の肉厚の薄い部分を細溝部４の端部に熱溶着又は接着でき、滑り止めテープ２の端部の上面を堰部５の上面と面一になるようにできるものである。
【００２２】
また、上記各実施形態においては、細長溝４の端部が側方に開口しないように遮蔽する堰部５の上面が載置用デッキ面１の一部により構成してある例を示しているが、図１２に示すように、載置用デッキ面１の端部に上方に向けて堰部５を突出してもよく、この場合には細長溝４の深さを全長にわたって同じ深さとし、滑り止めテープ２の厚みを全長にわたって同じ厚みとし、滑り止めテープ２の両端部を除く上面部を載置用デッキ面１の上面より上方に突出させると共に滑り止めテープ２の端部の上面を堰部５の上面と面一にするようにすることができるものである。この実施形態では堰部５は載置用デッキ面１の端縁の一部にのみ形成したり、あるいは、載置用デッキ面１の端縁の全長にわたって形成したりする。
【００２３】
ところで、細長溝４に滑り止めテープ２を挿入して貼着する際に細長溝４内で滑り止めテープ２が蛇行した状態で貼着されないように、図１３、図１４の実施形態に示すように、細長溝４の底部に長手方向にわたって位置決め突条７を形成し、図１３、図１５に示すように、滑り止めテープ２の下面部に長手方向にわたって位置決め凹条８を形成し、位置決め凹条８を位置決め突条７にはめ込んだ状態で滑り止めテープ２を細長溝４に貼着するように構成してもよい。このように位置決め凹条８を位置決め突条７にはめ込んだ状態で滑り止めテープ２を細長溝４に貼着することで、細長溝４の長手方向にわたって滑り止めテープ２を蛇行することなく正確に位置決めして貼着することができ、滑り止めテープ２が部分的に変形して貼着が不十分になるというような事態が生じないようにしてある。上記のように滑り止めテープ２に位置決め突条７を設けずに位置決め凹条８を設けたのは以下の理由による。すなわち、位置決め凹条８を設けることで、滑り止めテープ２を巻き回し、これを引き出して使用することができるが、位置決め突条７を設けた場合、滑り止めテープ２を巻き回しにくいものである。
【００２４】
なお、図１７、図１８には滑り止めテープ２の他の例を示してあり、滑り止めテープ２のテープ本体部２ａの上面部に凹溝条部２ｃを形成することで、上面部を凹凸形状にしてあり、このように凹凸形状にすると滑り止め効果がよりいっそう向上するものであり、また、テープ本体部２ａの上面部に荷重がかかって変形した際の逃げを凹溝条部２ｃにおいてできることになり、この結果、帯片２ｂによりテープ本体部２ａの側面と細長溝４の内側面との間の隙間を埋めてもテープ本体部２ａの荷重により変形が生じても何等問題がないものである。
【００２５】
しかして、上記のような構成のパレット３は載置用デッキ面１に載置物を載置した状態で、フォーク挿入部１０にフォークリフトのフォークを挿入して持ち上げて移動するものであるが、この場合、滑り止めテープ２を設けてあることで、載置物の滑りを確実に防止するようになっている。そして、フォークをフォーク挿入部１０に挿入する際、載置用デッキ面１の端部にフォークの先端部が当たっても、細長溝４の端部が堰部５により堰止められ且つ細長溝４に挿入して貼付けた滑り止めテープ２の端部の上面が堰部５の上面と面一となっているので、滑り止めテープ２の端面部にフォークの先端が当たるようなことがない。また、フォーク以外の物も滑り止めテープ２の端面部に当たることがない。したがって、滑り止めテープ２が端部から捲れて剥離するのが防止されるのである。なお、堰部５を面取りして弧面とすることで、フォークの先端等が当たった場合に、弧面を滑って逃げることで、当たった場合の衝撃を弱めて破損しないようになっている。
【００２６】
なお、添付図面に示す実施形態においては、パレット３の下面にも上面の載置用デッキ面１と同様に、細長溝４′を形成し、細長溝４′の両端部を堰部５′により側方に開口しないように閉塞し、両端部を堰部５′により閉塞した細長溝４′に上面において使用する滑り止めテープ２と同様の滑り止めテープ２′を上面側と同様にして挿入貼着して、滑り止めテープ２′の下面部をパレット３の下面より下方に突出させると共に滑り止めテープ２′の端部の下面を堰部５′の下面と面一にしてある。これによりパレット３の下面側における滑り止めを滑り止めテープ２′の下方への突出部分において行うことができると共に、前述の載置用デッキ面１側において細長溝４内に挿入貼着した滑り止めテープ２の剥離防止と同様の剥離防止が下面側においても堰部５′によってなされるものである。細長溝４′、滑り止めテープ２′、堰部５′の詳細な構成、作用、効果は載置用デッキ面１側と同じなので説明を省略する。また、パレット３を上下逆にした場合には下面側が新たに載置用デッキ面となり、滑り止めテープ２′を載置物の滑り止めとするものである。
【００２７】
また、パレット３の載置用デッキ面１の上面には複数のはめ込み孔１２が設けてあって、該はめ込み孔１２にスポット状滑り止め用ゴム１３をはめ込んであり、このように、長尺の滑り止めテープ２に加えスポット状滑り止め用ゴム１３を設けることでよりいっそう載置物の滑り止め効果が向上するものである。
【００２８】
【発明の効果】
本発明の請求項１記載の発明にあっては、上述のように、載置用デッキ面に細長溝を形成し、テープ本体部の下端部両側に長手方向にわたって側方に突出する帯片を設けた滑り止めテープを細長溝内に挿入貼着すると共に帯片を細長溝の内側面に密着させ、この滑り止めテープの上面部を載置用デッキ面の上面より上方に突出させてあるので、防滑用の滑り止めテープにより載置用デッキ面の上に載置した載置物の滑り止めを行うことができるのは勿論のこと、帯片が細長溝の内側面に密着しているから、細長溝の内側面とテープ本体部との間の隙間からテープ本体部の下面部の細長溝との貼着部分に水が浸入するのを防止することができるものであり、この結果、長期間の使用においても、滑り止めテープの下面の貼着部分に水が浸入して滑り止めテープが剥離することがないものである。
【００２９】
また、請求項２記載の発明にあっては、上記請求項１記載の発明の効果に加えて、載置用デッキ面に端部が載置用デッキ面の端部付近まで至る細長溝を形成し、細長溝の端部に堰部を形成し、細長溝の端部の底部を他の部分より深い深溝部とし、深溝部の内側面に浮き上がり防止突起を設け、滑り止めテープの端部を深溝部内に挿入して浮き上がり防止突起により滑り止めテープの端部側面を押圧した状態で滑り止めテープを貼着すると共に滑り止めテープの端部を堰部の上面と面一としてあるので、滑り止めテープの端面部が側方に露出しないと共に滑り止めテープの端部の上部が上方に突出することがなくて、フォークの先端が滑り止めテープの端部に当たったり、あるいは滑り止めテープの端面部に他の物が引っ掛かったりすることがなく、この結果、滑り止めテープの端部が剥離しないという効果を有するものである。
【００３０】
また、請求項３記載の発明にあっては、上記請求項１又は請求項２記載の発明の効果に加えて、細長溝の底部に長手方向にわたって位置決め突条を形成し、滑り止めテープの下面部に長手方向にわたって位置決め凹条を形成し、位置決め凹条を位置決め突条にはめ込んだ状態で滑り止めテープが細長溝に貼着してあるので、細長溝の長手方向にわたって滑り止めテープを正確に位置決めして貼着することができ、このように細長溝の長手方向にわたって滑り止めテープを蛇行することなく正確に位置決めして貼着することができるので、滑り止めテープが部分的に変形して貼着が不十分になるというような事態が発生せず、いっそう滑り止めテープの剥離を防止することができるものである。
【図面の簡単な説明】
【図１】本発明の運搬用パレットの斜視図である。
【図２】同上の平面図である。
【図３】同上の底面図である。
【図４】同上の正面図である。
【図５】同上の側面図である。
【図６】図１のＡーＡ線の断面図である。
【図７】図１のＢーＢ線の断面図である。
【図８】深溝部を示す斜視図である。
【図９】滑り止めテープの斜視図である。
【図１０】滑り止めテープを熱溶着で貼着した場合の例を示す図１のＢーＢ線の断面図である。
【図１１】本発明の他の実施形態の要部拡大断面図である。
【図１２】本発明の更に他の実施形態の要部拡大断面図である。
【図１３】本発明の更に他の実施形態の断面図である。
【図１４】深溝部を示す斜視図である。
【図１５】滑り止めテープの斜視図である。
【図１６】滑り止めテープを熱溶着で貼着した場合の例を示す断面図である。
【図１７】滑り止めテープの更に他の実施形態を示す斜視図である。
【図１８】滑り止めテープを貼着した部分の断面図である。
【符号の説明】
１  載置用デッキ面
２  滑り止めテープ
２ａ  テープ本体部
２ｂ  帯片
３  パレット
４  細長溝
５  堰部
６  深溝部
６ａ  浮き上がり防止突起
７  位置決め突条
８  位置決め凹条
【図１】
0003909138.tif 000002
【図２】
0003909138.tif 000003
【図３】
0003909138.tif 000004
【図４】
0003909138.tif 000005
【図５】
0003909138.tif 000006
【図６】
0003909138.tif 000007
【図７】
0003909138.tif 000008
【図８】
0003909138.tif 000009
【図９】
0003909138.tif 000010
【図１０】
0003909138.tif 000011
【図１１】
0003909138.tif 000012
【図１２】
0003909138.tif 000013
【図１３】
0003909138.tif 000014
【図１４】
0003909138.tif 000015
【図１５】
0003909138.tif 000016
【図１６】
0003909138.tif 000017
【図１７】
0003909138.tif 000018
【図１８】
0003909138.tif 000019